(57)【特許請求の範囲】
【請求項１】
９０°エルボ継手を挿入できる縦さや管部と横さや管部を一体に形成したさや管を建物の床下に埋設して、上記さや管の縦さや管部の下部に、縦さや管部の上端開口から挿入される破壊具によって縦さや管部の内部で破壊できるようにした９０°エルボ継手を収容し、９０°エルボ継手の上流側接続口に上流側の縦排水管を接続すると共に、９０°エルボ継手の下流側接続口に下流側の横排水管を接続した基礎貫通配管構造において、
上記９０°エルボ継手の湾曲部の少なくとも上面に、破壊用のノッチを設けたことを特徴とする基礎貫通配管構造。
【請求項２】
９０°エルボ継手を挿入できる縦さや管部と横さや管部を一体に形成したさや管を建物の床下に埋設して、上記さや管の縦さや管部の下部に、縦さや管部の上端開口から挿入される切断具によって縦さや管部の内部で切断できるようにした９０°エルボ継手を収容し、９０°エルボ継手の上流側接続口に上流側の縦排水管を接続すると共に、９０°エルボ継手の下流側接続口に下流側の横排水管を接続した基礎貫通配管構造において、
上記９０°エルボ継手の湾曲部の少なくとも下面に、切断具で切断するためのガイド用の凹溝を設けたことを特徴とする基礎貫通配管構造。
【請求項３】
９０°エルボ継手を挿入できる縦さや管部と横さや管部を一体に形成したさや管を建物の床下に埋設して、上記さや管の縦さや管部の下部に、縦さや管部の上端開口から挿入される分離治具によって縦さや管部の内部で分離できるようにした９０°エルボ継手を収容し、９０°エルボ継手の上流側接続口に上流側の縦排水管を接続すると共に、９０°エルボ継手の下流側接続口に下流側の横排水管を接続した基礎貫通配管構造において、
上記９０°エルボ継手が、湾曲部で上流側の継手半体と下流側の継手半体を分離可能に、且つ、水密的に接合したものであることを特徴とする基礎貫通配管構造。
【請求項４】
上記９０°エルボ継手が、上流側の継手半体と下流側の継手半体の接合部分にフランジを設けて、そのフランジを収容する凹溝を内周面に形成した開環リングを該フランジに取付けて、開環リングの両端部に設けた突起を挟む脱着自在な挟持部材で、開環リングの両端を抱持したものであることを特徴とする請求項３に記載の基礎貫通配管構造。
【請求項５】
上記９０°エルボ継手が、上流側の継手半体と下流側の継手半体を、下面側のヒンジ部で開閉可能に接合し、且つ、上面側で、上流側及び下流側のいずれか一方の継手半体に形成された係合部を、他方に形成された被係合部に解除自在に係合させたものであることを特徴とする請求項３に記載の基礎貫通配管構造。
【請求項６】
上記９０°エルボ継手が、その湾曲部の一部を可撓体で形成したものであることを特徴とする請求項１ないし請求項５のいずれかに記載の基礎貫通配管構造。
【請求項７】
上記さや管の縦さや管部の空間の横断面形状が、前方後円形状であることを特徴とする請求項１ないし請求項６のいずれかに記載の基礎貫通配管構造。
【請求項８】
請求項１に記載の基礎貫通配管構造において、縦さや管部の上端開口から破壊具を挿入して、その先端をノッチにあてがって９０°エルボ継手を縦さや管部の内部で破壊し、上流側の縦排水管と下流側の横排水管をさや管から引き抜くことを特徴とする排水管の取り外し方法。
【請求項９】
請求項２に記載の基礎貫通配管構造において、縦さや管部の上端開口から切断具を挿入して、縦さや管部の内部でガイド用の凹溝部分から９０°エルボ継手を切断し、上流側の縦排水管と下流側の横排水管をさや管から引き抜くことを特徴とする排水管の取り外し方法。
【請求項１０】
請求項３に記載の基礎貫通配管構造おいて、縦さや管部の上端開口から分離治具を挿入して、９０°エルボ継手を縦さや管部の内部で上流側の継手半体と下流側の継手半体に分離し、上流側の縦排水管と下流側の横排水管をさや管から引き抜くことを特徴とする排水管の取り外し方法。
【発明の詳細な説明】
【技術分野】
【０００１】
本発明は、建物の基礎を貫通する配管構造において、基礎を壊すことなく管路内の点検・補修が容易で、配管の変更が可能な基礎貫通配管構造及び排水管の取り外し方法に関するものである。
【背景技術】
【０００２】
従来、建物の基礎を貫通する配管構造としては、図１１に示すような構成のものが知られている。この配管構造は、コンクリート基礎Ｂを補強する配筋６を設けて、建物のコンクリート基礎Ｂを打設する前に、予め、洗面台、浴室、台所などの水設備と接続された上流側の縦排水管３と下流側の横排水管４を９０°継手８を介して接続し、建物のコンクリート基礎Ｂを打設したのち、下流側の横排水管４を９０°継手８，８を介して屋外の排水管１１へと接続したものである。
【０００３】
しかしながら、上記の配管構造は、上流側の縦排水管３、９０°エルボ継手８、下流側の横排水管４を配管したのち、それらの上から直接コンクリートを流し込んで埋設するため、一旦コンクリートを打設したのちに、排水管の点検・補修、又は配管の変更を行うには、コンクリート基礎Ｂを壊す必要があるため、施工が大がかりとなり、建物の強度が低下する恐れがあった。
【０００４】
このような事情から、図１２に示すような、コンクリート基礎Ｂに建物の内外に開口を有する管体１００が埋設されていて、フレキシブル管１０１がこの管体１００に挿通された排水管配管構造が提案された（特許文献１）。また、上記排水管配管構造と同様の、管体の下流端を建物の外部位置で地表面下へと貫通させ、且つこの管体の上流端を建物の内部へと貫通させて建物の基礎を形成し、管体より径小な小径管をこの管体内に挿脱可能に挿通させ、この小径管の下流端を排水路へと接続すると共に、この小径管の上流端に建物の排水設備を接続した排水路の形成方法なども提案されている（特許文献２）。
【０００５】
上記排水管配管構造は、コンクリート基礎Ｂに埋設された管体１００にフレキシブル管１０１が挿通されたものなので、従来の配管構造のように、一旦コンクリートを打設しても、コンクリート基礎Ｂを壊さないでフレキシブル管１０１の抜き差しが可能なため、排水管の点検・補修を行うことができるものである。
【特許文献１】特開２００２−０５４２０３号公報
【特許文献２】特開２００２−１１５２９４号公報
【発明の開示】
【発明が解決しようとする課題】
【０００６】
しかしながら、上記排水管配管構造は、洗面台、浴室、台所などの水設備と接続された上流側排水管９と下流側の横排水管４を連結するのにフレキシブル管１０１を用いているため、管体１００を建物の内側に向って斜め上方へ立ち上げる必要が生じる。このフレキシブル管１０１を垂直方向に立ち上げることは可能であるが、そのように立ち上げようとすると、フレキシブル管１０１の曲率半径を非常に大きくする必要があり、大きな曲率半径を確保すると、フレキシブル管１０１の下端口が非常に深い位置となるので、余分な掘削作業が増えて施工性が非常に悪くなる。このような事情から、通常、管体１００は建物の内側に向って斜め上方へ立ち上げられるが、管体１００を斜め上方へ立ち上げると、図１３に示すように、管体１００の外径Ｄよりも立ち上がり部分の幅Ｌが大きくなってしまうので、図１２に示すように、配筋６と配筋６の間隔が管体１００の外径Ｄより相当大きい場合でも、配筋６と干渉してしまうことがある。そうなると、干渉する配筋６を切断加工しなければ配管施工することができず、建物の強度が低下する恐れがあった。このように建物の強度を低下させる排水管配管構造は、平成１２年６月に施行された「住宅の品質確保促進法」の趣旨からしても好ましくない。更に、管体１００が住宅の内側に向って傾斜しているため、図１４に示すように、コンクリート基礎Ｂの近くに洗面台などの水設備がある場合は、上流側排水管９とフレキシブル管１０１を直接接続することができないため、９０°継手８，８を介して一度住宅の内側に排水管を取り回してから接続する必要があった。そのため、排水管の取り回しが大回りとなり、接続作業も増えるので施工性が悪かった。
【０００７】
本発明は上記の問題に鑑みてなされたもので、その解決しようとする課題は、建物のコンクリート基礎を補強するために設けられた配筋を切断加工することなく配管施工が可能で、基礎を壊すことなく点検・補修が容易で、配管の変更が可能な基礎貫通配管構造及び排水管の取り外し方法を提供することにある。
本
【課題を解決するための手段】
【０００８】
上記目的を達成するため、本発明に係る第一の基礎貫通配管構造は、９０°エルボ継手を挿入できる縦さや管部と横さや管部を一体に形成したさや管を建物の床下に埋設して、上記さや管の縦さや管部の下部に、縦さや管部の上端開口から挿入される破壊具によって縦さや管部の内部で破壊できるようにした９０°エルボ継手を収容し、９０°エルボ継手の上流側接続口に上流側の縦排水管を接続すると共に、９０°エルボ継手の下流側接続口に下流側の横排水管を接続した基礎貫通配管構造において、上記９０°エルボ継手の湾曲部の少なくとも上面に、破壊用のノッチを設けたことを特徴とするものである。
【０００９】
本発明の第二の基礎貫通配管構造は、９０°エルボ継手を挿入できる縦さや管部と横さや管部を一体に形成したさや管を建物の床下に埋設して、上記さや管の縦さや管部の下部に、縦さや管部の上端開口から挿入される切断具によって縦さや管部の内部で切断できるようにした９０°エルボ継手を収容し、９０°エルボ継手の上流側接続口に上流側の縦排水管を接続すると共に、９０°エルボ継手の下流側接続口に下流側の横排水管を接続した基礎貫通配管構造において、上記９０°エルボ継手の湾曲部の少なくとも下面に、切断具で切断するためのガイド用の凹溝を設けたことを特徴とするものである。また、本発明の第三の基礎貫通配管構造は、９０°エルボ継手を挿入できる縦さや管部と横さや管部を一体に形成したさや管を建物の床下に埋設して、上記さや管の縦さや管部の下部に、縦さや管部の上端開口から挿入される分離治具によって縦さや管部の内部で分離できるようにした９０°エルボ継手を収容し、９０°エルボ継手の上流側接続口に上流側の縦排水管を接続すると共に、９０°エルボ継手の下流側接続口に下流側の横排水管を接続した基礎貫通配管構造において、上記９０°エルボ継手が、湾曲部で上流側の継手半体と下流側の継手半体を分離可能に、且つ、水密的に接合したものであることを特徴とし、その際、上記９０°エルボ継手が、上流側の継手半体と下流側の継手半体の接合部分にフランジを設けて、そのフランジを収容する凹溝を内周面に形成した開環リングを該フランジに取付けて、開環リングの両端部に設けた突起を挟む脱着自在な挟持部材で、開環リングの両端を抱持したものである基礎貫通配管構造が好ましく、上記９０°エルボ継手が、上流側の継手半体と下流側の継手半体を、下面側のヒンジ部で開閉可能に接合し、且つ、上面側で、上流側及び下流側のいずれか一方の継手半体に形成された係合部を、他方に形成された被係合部に解除自在に係合させた基礎貫通配管構造も好ましい。特に、前述したいずれかの基礎貫通配管構造においては、上記９０°エルボ継手が、その湾曲部の一部を可撓体で形成したものであることが好ましい。
【００１０】
また、前述した基礎貫通配管構造においては、さや管の縦さや管部の空間の横断面形状が、前方後円形状であることが好ましい。
【００１２】
本発明の第一の排水管の取り外し方法は、上記９０°エルボ継手の湾曲部の少なくとも上面に、破壊用のノッチが設けられた基礎貫通配管構造において、縦さや管部の上端開口から破壊具を挿入して、その先端をノッチにあてがって９０°エルボ継手を縦さや管部の内部で破壊し、上流側の縦排水管と下流側の横排水管をさや管から引き抜くことを特徴とするものである。また、本発明の第二の排水管の取り外し方法は、上記９０°エルボ継手の湾曲部の少なくとも下面に、切断具で切断するためのガイド用の凹溝が設けられた基礎貫通配管構造において、縦さや管部の上端開口から切断具を挿入して、縦さや管部の内部でガイド用の凹溝部分から９０°エルボ継手を切断し、上流側の縦排水管と下流側の横排水管をさや管から引き抜くことを特徴とし、本発明の第三の排水管の取り外し方法は、上記９０°エルボ継手が、湾曲部で上流側の継手半体と下流側の継手半体を分離可能に、且つ、水密的に接合した基礎貫通配管構造おいて、縦さや管部の上端開口から分離治具を挿入して、９０°エルボ継手を縦さや管の内部で上流側の継手半体と下流側の継手半体に分離し、上流側の縦排水管と下流側の横排水管をさや管から引き抜くことを特徴とする。
【発明の効果】
【００１３】
本発明の基礎貫通配管構造は、さや管が、水平の横さや管部とその横さや管部から垂直に立設された縦管部からなるものなので、配筋と配筋の間隔がさや管の外径よりも大きければ、配筋を切断加工しなくても配管することができる。従って、従来の排水管配管構造のように、建物のコンクリート基礎の強度を低下させる心配がない。また、曲率半径を通常の９０°継手や大曲り管程度に抑えることができるので、地面を深くまで掘削する必要がなく、更に、上流側の縦排水管は垂直に立設されるので、従来の排水管配管構造のように、コンクリート基礎の近くに、洗面台などの水設備がある場合でも、一度住宅の内側に排水管を取り回してから接続するという、排水管の取り回しの苦労がない。しかも、コンクリート基礎を貫通する配管部分の点検・補修、又は配管の変更は、縦さや管部の下部に収容された９０°エルボ継手を、縦さや管部の上端開口から挿入した破壊具によって、縦さや管の内部で、破壊したのち、さや管から上流側の縦排水管と下流側の横排水管を引き抜くことで行うことができるので、従来の配管構造のように、コンクリート基礎を壊す必要がなく、建物の強度を低下させる心配がない。本発明は、特定の部位で９０°エルボ継手を破壊できることを特徴としており、このような９０°エルボ継手であると、上流側の縦排水管と下流側の横排水管をさや管から容易に引き抜くことができる。しかし、不特定の部位で破壊、又は切断、又は分離する９０°エルボ継手であると、上流側の縦排水管と下流側の横排水管をさや管から引き抜くときに、破壊した９０°エルボ継手が引っかかり、さや管から引き抜けないおそれがある。その点、本発明は、上記９０°エルボ継手の湾曲部の少なくとも上面に、破壊用のノッチを設けているので、破壊用のノッチにバールなどの破壊具の先端が係止し、破壊具をハンマーなどで叩いても、破壊具がずれたり外れたりするのが大幅に減るので、９０°エルボ継手の破壊が容易となる。このノッチは、湾曲部の全周に設けてもよく、そのような９０°エルボ継手の場合は、９０°エルボ継手がノッチの部分で確実に破壊されて分離するので、上流側の縦排水管と下流側の横排水管をさや管から容易に引き抜くことができる。
【００１５】
また、本発明の第二の基礎貫通配管構造は、上記９０°エルボ継手の湾曲部の少なくとも下面に、切断具で切断するためのガイド用の凹溝を設けているので、例えば、ワイヤー状のノコギリをガイド用の凹溝に挿入し、上方からノコギリを上下に引くことで簡単に、且つ確実に、凹溝部分で９０°エルボ継手を切断することができ、上流側の縦排水管と下流側の横排水管をさや管から引き抜くことができる。
【００１６】
更に、本発明の第三の基礎貫通配管構造は、上記９０°エルボ継手が、湾曲部で上流側の継手半体と下流側の継手半体を分離可能に、且つ、水密的に接合したものであるので、破壊具や切断具を用いることなく、上流側の継手半体と下流側の継手半体を分離することができる。
【００１７】
特に、上記９０°エルボ継手が、上流側の継手半体と下流側の継手半体の接合部分にフランジを設けて、そのフランジを収容する凹溝を内周面に形成した開環リングを該フランジに取付けて、開環リングの両端部に設けた突起を挟む脱着自在な挟持部材で、開環リングの両端を抱持したものである基礎貫通配管構造は、挟持部材を開環リングの両端部に設けられた突起から外すだけで、上流側の継手半体と下流側の継手半体を分離することができるので、分離作業がより容易となる。
【００１８】
また、上記９０°エルボ継手が、上流側の継手半体と下流側の継手半体を、下面側のヒンジ部で開閉可能に接合し、且つ、上面側で、上流側及び下流側のいずれか一方の継手半体に形成された係合部を、他方に形成された被係合部に解除自在に係合させたものである基礎貫通配管構造も、係合部と被係合部の係合状態を解除するだけで、上流側の継手半体と下流側の継手半体を分離することができる。
【００１９】
更に、前述した基礎貫通配管構造のいずれかの９０°エルボ継手が、その湾曲部の一部を可撓体で形成したものである基礎貫通配管構造は、地震時などに破損する恐れの高い９０°エルボ継手の湾曲部の一部を、弾性をもつ可撓体で形成することにより、地震の振動や配管接続時の衝撃が緩和され、９０°エルボ継手及び基礎貫通配管構造に配管される排水管の破損、特に９０°エルボ継手の破壊、又は切断、又は分離する部位の破損を、大幅に減らすことができる。
【００２０】
また、さや管の縦さや管部の空間の横断面形状が、前方後円形状であると、９０°エルボ継手を縦さや管部に収容し易くなると共に、９０°エルボ継手を破壊、又は切断、又は分離したのち、縦さや管部から簡単に取り出せるようになる。
【００２２】
本発明の第一の排水管の取り外し方法は、バールなどの破壊具を縦さや管部の上部開口から挿入し、その先端をノッチにあてがってハンマーなどで上方から荷重すると、ノッチ部分に力が集中的に加わることになるので、９０°エルボ継手がノッチ部分を境に２分割に破壊することができる。従って、その破壊された９０°エルボ継手と、９０°エルボ継手に接続された上流側の縦排水管及び下流側の横排水管をさや管から引き抜くことで、管路内の点検・補修、又は配管の変更を容易に行うことができる。
【００２３】
また、９０°エルボ継手の湾曲部の少なくとも下面に、切断具で切断するためのガイド用の凹溝が設けられた基礎貫通配管構造において、縦さや管部の上端開口から切断具を挿入して、ガイド用の凹溝部分から９０°エルボ継手を切断し、上流側の縦排水管と下流側の横排水管をさや管から引き抜く本発明の第二の排水管の取り外し方法も、ガイド用の凹溝に挿入した切断具（ワイヤー状のノコギリなど）で９０°エルボ継手を簡単に切断できるので、さや管から９０°エルボ継手と、９０°エルボ継手に接続された上流側の縦排水管及び下流側の横排水管を引き抜いて、容易に管路内を点検・補修、又は配管の変更を行うことができる。
【００２４】
更に、９０°エルボ継手が、湾曲部で上流側の継手半体と下流側の継手半体が分離可能に、且つ、水密的に接合されたものである基礎貫通配管構造おいて、縦さや管部の上端開口から分離治具を挿入して、９０°エルボ継手を上流側の継手半体と下流側の継手半体に分離し、上流側の縦排水管と下流側の横排水管をさや管から引き抜く本発明の第三の排水管の取り外し方法も、分離治具で、上流側の継手半体と下流側の継手半体に分離して、さや管から引き抜いたのち、容易に管路内を点検・補修、又は配管の変更を行うことができる。
【発明を実施するための最良の形態】
【００２５】
以下、図面を参照して本発明の具体的な実施形態を詳述する。
【００２６】
図１は本発明の一実施形態に係る基礎貫通配管構造を示す要部断面図、図２は同配管構造に用いるさや管を示す斜視図、図３は同さや管の平面図、図４は同さや管の断面図、図５は同配管構造に用いる９０°エルボ継手を示す斜視図、図６は同継手の断面図である。
【００２７】
本発明の基礎貫通配管構造は、図１に示すように、建物のコンクリート基礎Ｂを貫通する配管構造であって、さや管１と、９０°エルボ継手２と、上流側の縦排水管３と、下流側の横排水管４とで構成されている。
【００２８】
さや管１は、図２、図４に示すように、水平の横さや管部１ｂと、その横さや管部１ｂから垂直に立設された縦さや管部１ａとを一体に形成（ただし、さや管１は、生産性や成形性等の面から、さや管１を分割した状態で成形した後に、一体化して形成するものを排除しない）したもので、図３に示すように、縦さや管部１ａの空間の横断面形状が、前方後円形状となるように形成されている。この縦さや管部１ａの長さＬ１は、後述する９０°エルボ継手２の長さＬ２よりも短くなるように形成するのが好ましく、９０°エルボ継手２を斜めに傾けなければ縦さや管部１ａに挿入できない程度の大きさに形成されている。このように、縦さや管部１ａの空間の横断面形状を円形ではなく前方後円形状とすることで、９０°エルボ継手２を縦さや管部１ａに収容し易くなると共に、９０°エルボ継手２を破壊したのち、縦さや管部１ａから簡単に引き抜くことができる。また、縦さや管部１ａの長さＬ１をできるだけ短く形成することで、配筋６と配筋６の間隔が狭い箇所でも設置することができるようになり、開口面積を小さくできるので、基礎の強度低下を防ぐことができる。
尚、縦さや管部１ａの空間の横断面形状は、配管の都合上、方形状の部分を建物の外側（下流側）に向けておくことが望ましい。
【００２９】
横さや管部１ｂは、内部に下流側の横排水管５を挿通できるだけの内径を有した円筒で、その先端には、図１に示す長さ調整用のボイド管５を接続するための接続口１ｃが形成されており、この接続口１ｃの上流側には、図４に示すように、後述する９０°エルボ継手２を取付けるための凸部１ｄが形成されている。このように、長さ調整用のボイド管５を横さや管部１ｂに接続できるようにすると、ボイド管５を切断することで左右の長さを任意に設定することができるようになり、さや管１の寸法を施工現場のコンクリート基礎Ｂの寸法に合わせて形成する必要がなくなる（ただし、ボイド管を用いずに、さや管の寸法を施工現場のコンクリート基礎の寸法に合わせて形成することを排除するものではない）。
尚、コンクリート基礎Ｂの高さがさや管１よりも高い場合には、縦さや管部１ａに高さ調整用のボイド管（不図示）を接続して高さ調整をすればよい。
【００３０】
以上のような構成のさや管１は、寸法、材質等について特に限定されないが、縦さや管部１ａの長さＬ１が１００ｍｍ〜２５０ｍｍ、高さが２００ｍｍ〜３００ｍｍ、横さや管部１ｂの内径が６０ｍｍ〜１２０ｍｍのものが好適に用いられる。また、強度、耐久性、成形性を考慮すると、合成樹脂で形成されることが望ましく、特に硬質塩化ビニル樹脂製のものが好適に用いられる。
【００３１】
上記さや管１の縦さや管部１ａの下部に収容される９０°エルボ継手２は、図５、図６に示すように、湾曲部２ａと、その湾曲部２ａ上端に形成された上流側の縦排水管３を接続するための上部接続口２ｂと、湾曲部２ａの下端に形成された下流側の横排水管４を接続するための下部接続口２ｃからなる断面形状が略Ｌ字形の９０°継手で、該湾曲部２ａは可撓体で形成されている。このように、地震で破損する恐れの高い９０°エルボ継手の湾曲部２ａを、弾性をもつ可撓体で形成することにより、地震の振動や配管接続時の衝撃が緩和され、９０°エルボ継手２が破損するのを大幅に減らすと共に、９０°エルボ継手２に接続されている上流側の縦排水管３や、下流側の横排水管４の破損も防止することができる。
【００３２】
上記湾曲部２ａの下部接続口２ｃ近傍には、図５、図６に示すように、凸条の突起２ｆが周方向全域に亘って設けられており、この凸条の突起２ｆと下部接続口２ｃとの間に形成される嵌合溝２ｄに、上記さや管１の横さや管部１ｂ下面に設けられた凸部１ｄを嵌合させて、９０°エルボ継手２をさや管１に収容する。このように９０°エルボ継手２をさや管１に収容すると、ぐらつきなく取付けられるので、上流側の縦排水管３や下流側の横排水管４を９０°エルボ継手２に接続し易くなる。
尚、上記凸部１ｄは、さや管１と一体的に形成する必要はなく、別部材で横さや管部１ｂ下面に設けてもよい。また、図では嵌合溝２ｄは周状に設けられているが、孔状に設けるのも好ましい。このように孔状に設けると、９０°エルボ継手２の回動も防止することができる。更に孔状のぐらつき・回動防止は、上述したように、凸条の突起２ｆと下部接続口２ｃとの間に形成されるだけではなく、湾曲部２ａの下面に設けてもよい(不図示)。
【００３３】
また、湾曲部２ａの上面には、図６に示すように、破壊具（不図示）で９０°エルボ継手２を破壊するためのノッチ２ｅが設けられている。このノッチ２ｅは、湾曲部２ａの上面に略逆三角形状の薄肉部を形成したもので、ノッチ２ｅを境に９０°エルボ継手２は２分割に破壊される。このノッチ２ｅの薄肉部の厚みは、９０°エルボ継手２の平均肉厚、特に湾曲部２ａの肉厚より厚く形成されることがよい。このようにすることで、地震や配管接続時に９０°エルボ継手２に加わる衝撃でノッチ２ｅが容易に破壊することなく、破壊具を用いて破壊しようとした時にのみ破壊することができる。
尚、破壊具としては種々のものが考えられるが、先端が鋭利な棒やバールなどを用いると、９０°エルボ継手２をより破壊し易くなる。また、ノッチ２ｅは、湾曲部２ａの周方向全域に亘って設けてもよいが、本実施形態のように、湾曲部２ａの上面にのみ設けるほうが、９０°エルボ継手２の強度を低下させることがないので好ましい。
【００３４】
以上のような構成の９０°エルボ継手２も、材質は特に限定されるものではないが、強度、耐久性、成形性を考慮すると、合成樹脂で形成されることが望ましく、特に硬質塩化ビニル樹脂製のものが好適に用いられる。上記湾曲部２ａを可撓体で形成する場合は、その材質を軟質合成樹脂、例えば各種エラストマーや軟質塩化ビニル樹脂、又はゴム等を用いればよい。また、湾曲部２ａは全体を可撓体で形成する必要はなく、少なくともその一部を、湾曲部２ａの周方向の全周で形成しておければよい。更に、湾曲部２ａの可撓体は、一体的に成形してもよいし、可撓体で別部材を形成した後に９０°エルボ継手２の一部として一体化してもよいことは言うまでもない。
【００３５】
上記９０°エルボ継手２の上部接続口２ｂに接続される上流側の縦排水管３、及び９０°エルボ継手２の下部接続口２ｃに接続される下流側の横排水管４は塩化ビニル樹脂製の円筒で、呼び径が５０ｍｍ〜１００ｍｍのＰＶＣ管が好適に用いられる。従って、上記９０°エルボ継手２の寸法も、この上流側の縦排水管３や下流側の横排水管４に合わせて、内径が５０ｍｍ〜１００ｍｍのものがよく用いられる。
【００３６】
次に、以上の部材から構成される基礎貫通配管構造の施工例を説明する。
【００３７】
まず、コンクリート型枠（不図示）で建物のコンクリート基礎Ｂの外形を形成し、その内部にコンクリート基礎Ｂを補強するための配筋６を設ける。そして、図１に示すように、配筋６と配筋６の間に前述したさや管１を設置して、さや管１の横さや管部１ｂ先端の接続口１ｃに、長さ調整用のボイド管５を挿入して接続する。このとき、接続口１ｃとボイド管５の接続部には、外側からテープを巻くなどして止水し、またボイド管５の他端もテープ等を用いて止水しておく。このようにすることで、後にコンクリートを打設するときのコンクリートのさや管内への侵入を防止できる。また、必要であればさや管１の縦さや管部１ａに高さ調整用のボイド管を接続しておく。高さ調整用のボイド管は、打設したコンクリートがさや管１内部に入りにくいように、コンクリート基礎Ｂのベタ基礎部分から若干突出するようにボイド管を長さ調整するとよい。そのときの処理は、接続口１ｃとボイド管５を接続したときと同様である。
【００３８】
次いで、コンクリート型枠にコンクリートを打設して、建物のコンクリート基礎Ｂを形成する。
【００３９】
上記の手順で、さや管１をコンクリート基礎Ｂに埋設すると、次に、前述した９０°エルボ継手２をさや管１の縦さや管部１ａからさや管１内に収容する。このとき、縦さや管部１ａの長さＬ１は、９０°エルボ継手２の長さＬ２よりも短いので、斜めに傾けて挿入する必要がある。このように縦さや管部１ａに斜めに傾けた状態で９０°エルボ継手２を挿入し、さや管１に設けられた凸部１ｄに、９０°エルボ継手２の嵌合溝１ｄを嵌め込んで動かないように固定してから、９０°エルボ継手２の上部接続口２ｂに上流側の縦排水管３を接続すると共に、下部接続口２ｃに下流側の横排水管４を接続する。そして、上流側の縦排水管３を９０°継手８に接続し、その９０°継手８を洗面台、浴室、台所などの水設備（不図示）と接続された上流側排水管９と接続する。また、下流側の横排水管４の下端を屋外の排水管１１と接続する。この施工例では、屋外の排水管１１と下流側の横排水管４との間に、９０°継手８が２つと、その９０°継手８を繋ぐ短管１２が介されている。最後に、屋外の排水管１１と排水桝１０を接続することで基礎貫通配管構造の施工が完了する。
【００４０】
以上のような基礎貫通配管構造は、配筋６と配筋６の間隔がさや管１の縦さや管部１ａの長さＬ１及び横さや管部１ｂの外径よりも大きければ、配筋６を切断加工しなくても配管することができるので、従来の排水管配管構造のように、建物のコンクリート基礎Ｂの強度を低下させる心配がない。また、さや管１の曲率半径を、通常の９０°継手や大曲り管程度に抑えることができるので、地面を深くまで掘削する必要がない。上流側の縦排水管３は地面に対して垂直に立設されるので、従来の排水管配管構造のように、コンクリート基礎Ｂの近くに、洗面台などの水設備がある場合でも、一度住宅の内側に排水管を取り回してから接続する必要がないので、施工性がよい。
【００４１】
次に、上記基礎貫通配管構造の管路内を点検・補修、又は配管の変更を行うための、上流側の縦排水管３及び下流側の横排水管４の取り外し方法を説明する。
【００４２】
まず、上流側の縦排水管３を、９０°継手８との接続部分から切断すると共に、コンクリート基礎Ｂから突出した下流側の横排水管４を切断する（ただし、上記切断作業は行わなくてもよい）。次いで、９０°エルボ継手２をバールなどの破壊具で破壊して上流側と下流側に分離する。９０°エルボ継手２を破壊するには、縦さや管部１ａの上部開口からバールなどの破壊具を挿入し、バールの先端をノッチ２ｅにあてがいながら、上方からハンマーでバールを叩くことにより行うことができる。９０°エルボ継手２が破壊されて上流側と下流側に分離すると、縦さや管部１ａの上部開口から破壊された９０°エルボ継手２の上流側を引き抜くと共に、横さや管部１ｂの接続口１ｃから９０°エルボ継手２の下流側を引き抜くことで、上流側の縦排水管３及び下流側の横排水管４の取り外し作業が完了し、基礎貫通配管構造の管路内の点検・補修、又は配管の変更をを行うことができるようになる。
【００４３】
以上のような排水管の取り外し方法は、縦さや管部２ａの下部に収容された９０°エルボ継手２を、ノッチ２ｅを境に上下に分離し、上流側の縦排水管３及び下流側の横排水管４を引き抜くことで簡単に行うことができるので、コンクリート基礎Ｂを貫通する配管部分の点検・補修、又は配管の変更を行うのに、従来の配管構造のように、コンクリート基礎Ｂを壊す必要がなく、建物の強度を低下させる心配がない。
【００４４】
図７は本発明の他の実施形態に係る基礎貫通配管構造に用いる９０°エルボ継手を示す断面図である。
【００４５】
この実施形態の基礎貫通配管構造に用いる９０°エルボ継手２０は、前述した９０°エルボ継手２に設けられたノッチ２ｅの代わりに、切断具（不図示）で切断するためのガイド用の凹溝２ｇを設けたものである。このガイド用の凹溝２ｇは、図７に示すように、前述した凸条の突起２ｆよりも僅かに上流側に設けられた断面形状が凹型のもので、湾曲部２ａの周方向全域に亘って設けられている。
尚、このガイド用の凹溝２ｇは、少なくとも湾曲部２ａの下面側、好ましくは湾曲部２ａの高さの半分程度まで設けられていれば機能を果たすものである。また、ガイド用の凹溝２ｇは、強度低下を防ぐために、断面が略逆台形乃至底部をアール形状にした凹溝にすることが好ましい。
この基礎貫通配管構造に用いる９０°エルボ継手２のその他の構造は、前述した図１〜図６に示す実施形態の基礎貫通配管構造と同様であり、また、この９０°エルボ継手２０を用いた基礎貫通配管構造の施工手順は、前述した図１に示す９０°エルボ継手２を用いた基礎貫通配管構造の施工手順と同様であるから、説明を省略する。
【００４６】
上記９０°エルボ継手２０は、切断具（ワイヤー状のノコギリなど）をさや管１の縦さや管部１ａの上部開口から挿入してガイド用の凹溝２ｇに嵌め込み、切断具を上下方向に交互に引くことで簡単に切断することができる。
この９０°エルボ継手２０を用いた基礎貫通配管構造の、上流側の縦排水管３及び下流側の横排水管４の取り外し方法は、９０°エルボ継手２０を上流側と下流側に分離する方法が、前述した９０°エルボ継手２を用いた排水管の取り外し方法と異なるだけで、それ以外は同様であるので、説明を省略する。
【００４７】
以上のような９０°エルボ継手２０を用いた基礎貫通配管構造の排水管の取り外し方法も、切断具を用いることで、ガイド用の凹溝２ｇを境に、９０°エルボ継手２０を簡単に上下に分離することができるので、コンクリート基礎Ｂを貫通する配管部分の点検・補修、又は配管の変更が容易である。
【００４８】
図８は本発明の更に他の実施形態に係る基礎貫通配管構造に用いる９０°エルボ継手を示す断面図、図９は図８に示す９０°エルボ継手の連結に用いる開環リング及び挟持部材を示す正面図である。
【００４９】
この実施形態の基礎貫通配管構造に用いる９０°エルボ継手２１は、図８に示すように、上流側の継手半体２１ａと、下流側の継手半体２１ｂからなる２分割タイプの継手で、上流側の継手半体２１ａの下端部には、２本の防水パッキン２１ｆ，２１ｆが取付けられていると共に、フランジ２１ｃが設けられている。また、下流側の継手半体２１ｂの上端には、上流側の継手半体２１ａの下端部を挿入する挿入口２１ｅが設けられており、その挿入口２１ｅの先端にはフランジ２１ｄが設けられている。この上流側の継手半体２１ａと下流側の継手半体２１ｂは、上流側の継手半体２１ａの下端部を下流側の継手半体２１ｂの挿入口２１ｅへ挿入して仮止めしたのち、次に説明する開環リング７と挟持部材７ｂで接合される。
【００５０】
即ち、開環リング７は、図８、図９に示すように、その内周面に凹溝を形成し、リングの一部が切れていて、その両端が開放可能な環状であり、その端部には、それぞれ突起７ａ，７ａが設けられている。この開環リング７の凹溝を、仮止めされた上記上流側の継手半体２１ａのフランジ２１ｃと下流側の継手半体２１ｂのフランジ２１ｄに嵌め込んで、更に、その開環リング７両端の突起７ａ，７ａを、断面形状が略凹型の挟持部材７ｂで挟んで抱持させると、上流側の継手半体２１ａと下流側の継手半体２１ｂは確実に接合することができる。
この基礎貫通配管構造に用いる９０°エルボ継手２１のその他の構造は、前述した図１〜図６に示す実施形態の基礎貫通配管構造と同様であり、また、この９０°エルボ継手２１を用いた基礎貫通配管構造の施工手順は、上記のように、上流側の継手半体２１ａと下流側の継手半体２１ｂを接合して１つの９０°エルボ継手２１を完成させる以外は、前述した図１に示す９０°エルボ継手２を用いた基礎貫通配管構造の施工手順と同様であるから、説明を省略する。
【００５１】
上記９０°エルボ継手２１は、分離治具（例えば、単なる棒でもよい）をさや管１の縦さや管部１ａの上部開口から挿入し、その分離治具の先端で、挟持部材７ｂを斜め下方又は斜め上方へ押すだけで、開環リング７の突起７ａ，７ａから挟持部材７ｂが外れるので、簡単に上流側の継手半体２１ａと下流側の継手半体２１ｂを分離することができる。しかし、誤って挟持部材７ｂを外すと、漏水などの問題を生じるので、挟持部材７ｂが一方向にしか押せないように、挟持部材７ｂ又は開環リング７に移動防止用のストッパー（不図示）を形成してもよい。
この９０°エルボ継手２１を用いた基礎貫通配管構造の、上流側の縦排水管３及び下流側の横排水管４の取り外し方法は、前述した２例の取り外し方法が、９０°エルボ継手２を破壊、又は９０°エルボ継手２０を切断するのに対して、本実施形態では、分離治具を用いて上流側の継手半体２１ａと下流側の継手半体２１ｂを分離することにより行われる。それ以外の取り外し方法は同様であるので、説明を省略する。
【００５２】
以上のような９０°エルボ継手２１を用いた基礎貫通配管構造の排水管の取り外し方法は、上流側の継手半体２１ａと下流側の継手半体２１ｂを接合する手間が余分にかかるが、その反面、分離治具を用いることで、９０°エルボ継手２１をワンタッチで上流側と下流側に分離して、コンクリート基礎Ｂを貫通する配管部分の点検・補修、又は配管の変更を容易に行うことができるという利点がある。
【００５３】
図１０は本発明の更に他の実施形態に係る基礎貫通配管構造に用いる９０°エルボ継手を示す断面図である。
【００５４】
この実施形態の基礎貫通配管構造に用いる９０°エルボ継手２２も、図１０に示すように、前述した９０°エルボ継手２１と同様に、上流側の継手半体２２ａと、下流側の継手半体２２ｂからなる２分割タイプの継手で、下流側の継手半体２２ｂの上端には、上流側の継手半体２２ａの下端部を挿入する挿入口２２ｅが設けられており、その挿入口２２ｅの先端にフランジ２２ｄが設けられている。一方、上流側の継手半体２２ａ下端部にも、前述した９０°エルボ継手２１と同様に、２本の防水パッキン２２ｆ，２２ｆが取付けられている。上流側の継手半体２２ａ下端部の下面側にはヒンジ部２２ｃが設けられており、上面側には、下流側の継手半体２２ｂのフランジ２２ｄと係合する先端に戻り防止爪が形成された係合部２２ｇが設けられている。この上流側の継手半体２２ａと下流側の継手半体２２ｂは、上流側の継手半体２２ａに設けられたヒンジ部２２ｃで、開閉可能に接合されており、上流側の継手半体２２ａの上面側に設けられた係合部２２ｇを、下流側の継手半体２２ｂのフランジ２２ｄに係合させることで確実に取付けられる。ヒンジ部２２ｃの構造は離脱可能なものであれば、既に公知の構造を採用することができる。また、係合部２２ｇは後述する分離治具を受け止めやすくするために、上側部分に袋状の受部（不図示）を形成しておくことが好ましい。
尚、上流側の継手半体２２ａにフランジ２２ｄを設けて、下流側の継手半体２２ｂに、ヒンジ部２２ｃと係合部２２ｇを設けてもよい。
この基礎貫通配管構造に用いる９０°エルボ継手２２のその他の構造は、前述した図８、図９に示す実施形態の基礎貫通配管構造と同様であり、また、この９０°エルボ継手２２を用いた基礎貫通配管構造の施工手順は、上記のように、係合部２２ｇと被係合部であるフランジ２２ｄを係合させて９０°エルボ継手２２を組み立てる以外は、前述した図１に示す９０°エルボ継手２を用いた基礎貫通配管構造の施工手順と同様であるから、説明を省略する。
【００５５】
上記９０°エルボ継手２２も、分離治具をさや管１の縦さや管部１ａの上部開口から挿入し、その分離治具の先端で、上流側の継手半体２２ａの係合部２２ｇの上側部分を押圧するだけで、フランジ２２ｄから戻り防止爪が外れて、上流側の継手半体２２ａと下流側の継手半体２２ｂの係合状態が解除されるので、簡単に上流側の継手半体２２ａと下流側の継手半体２２ｂを分離することができる。
この９０°エルボ継手２２を用いた基礎貫通配管構造の、上流側の縦排水管３及び下流側の横排水管４の取り外し方法は、上流側の継手半体２２ａと下流側の継手半体２２ｂの分離の方法が異なるだけで、その他の取り外し方法は、前述した９０°エルボ継手２１と同様であるので、説明を省略する。
【００５６】
以上のような９０°エルボ継手２２を用いた基礎貫通配管構造の排水管の取り外し方法は、上流側の継手半体２２ａに係合部２２ｇを設けるのに、成形技術を要するが、前述した９０°エルボ継手２１と同様に、ワンタッチで上流側と下流側に分離して、コンクリート基礎Ｂを貫通する配管部分の点検・補修、又は配管の変更を容易に行うことができる。
【図面の簡単な説明】
【００５７】
【図１】本発明の一実施形態に係る基礎貫通配管構造を示す要部断面図である。
【図２】同配管構造に用いるさや管を示す斜視図である。
【図３】同さや管の平面図である。
【図４】同さや管の断面図である。
【図５】同配管構造に用いる９０°エルボ継手を示す斜視図である。
【図６】同継手の断面図である。
【図７】本発明の他の実施形態に係る基礎貫通配管構造に用いる９０°エルボ継手を示す断面図である。
【図８】本発明の更に他の実施形態に係る基礎貫通配管構造に用いる９０°エルボ継手を示す断面図である。
【図９】図８に示す９０°エルボ継手の連結に用いる開環リング及び挟持部材を示す正面図である。
【図１０】本発明の更に他の実施形態に係る基礎貫通配管構造に用いる９０°エルボ継手を示す断面図である。
【図１１】従来の排水管配管構造を示す概略断面図である。
【図１２】従来の他の排水管配管構造を示す概略要部断面図である。
【図１３】図１２の配管構造において用いられる管体を示す断面図である。
【図１４】図１２の配管構造を示す平面図である。
【符号の説明】
【００５８】
１    さや管
１ａ  縦さや管部
１ｂ  横さや管部
１ｃ  接続口
１ｄ  凸部
２，２０，２１，２２  ９０°エルボ継手
２ａ  湾曲部
２ｂ  上部接続口
２ｃ  下部接続口
２ｄ  嵌合溝
２ｅ  ノッチ
２ｆ  凸条の突起
２ｇ  ガイド用の凹溝
２１ａ，２２ａ  上流側の継手半体
２１ｂ，２２ｂ  下流側の継手半体
２１ｃ  上流側の継手半体のフランジ
２１ｄ  下流側の継手半体のフランジ
２２ｃ  ヒンジ部
２２ｄ  下流側の継手半体のフランジ
２２ｇ  係合部
３    上流側の縦排水管
４    下流側の横排水管
５    ボイド管
６    配筋
７    開環リング
７ａ  突起
７ｂ  挟持部材
Ｂ    コンクリート基礎
【図１】
0005468733.tif 000002
【図２】
0005468733.tif 000003
【図３】
0005468733.tif 000004
【図４】
0005468733.tif 000005
【図５】
0005468733.tif 000006
【図６】
0005468733.tif 000007
【図７】
0005468733.tif 000008
【図８】
0005468733.tif 000009
【図９】
0005468733.tif 000010
【図１０】
0005468733.tif 000011
【図１１】
0005468733.tif 000012
【図１２】
0005468733.tif 000013
【図１３】
0005468733.tif 000014
【図１４】
0005468733.tif 000015